(57)【要約】 【課題】一体型装置全体に高電流を流してイオンの生成能力や脱イオンの能力を飛躍的に高める耐高電流構造を有すること、さらにイオン生成機能と脱イオン機能のいずれも互いに独立していて相互に生成対象イオンの移動が伴わない構造であることを要求される。【解決手段】高電流を長時間かけたときに膜焼けの原因になる電極界面やバイポーラ界面を形成するイオン交換膜に耐熱性、耐薬品性、化学的安定性に優れるフッ素系陽イオン交換膜を使用することで解決を図ろうとするものである。【選択図】図１
2018173393.tif 000002
【特許請求の範囲】
【請求項１】
電気再生式イオン生成除去一体型装置であって
（ａ）陽極部と
（ａ１）前記陽極部が陽極電極を備え、
（ａ２）前記陽極電極の陰極側に、接する通水孔付フッ素系陽イオン交換膜Ｍ１で仕切られて
（ａ３）前記陽極部に排出口を備える
（ｂ）陽イオン供給部と
（ｂ１）前記陽イオン供給部が前記陽極部の陰極側に隣接し、前記通水孔付フッ素系陽イオン交換膜Ｍ１に接して陽イオン交換体Ｃ１の充填された部屋と
（ｂ２）前記陽イオン交換体Ｃ１の充填された部屋の他端が陽イオン交換膜Ｍ２で仕切られ、
（ｂ３）前記陽イオン交換体Ｃ１の充填された部屋の一部に陽イオン供給用溶液入口を備える
（ｃ）陽イオン生成部と
（ｃ１）前記陽イオン生成部が前記陽イオン供給部の陰極側に隣接し、前記陽イオン交換膜Ｍ２に接して陽イオン交換膜で容器断面に平行に積層した部屋と
（ｃ２）陰イオン交換体Ａ２の充填された部屋を備え、他端にフッ素系陽イオン交換膜Ｍ３で仕切られ
（ｃ３）前記陰イオン交換体Ａ２の充填された部屋の一部に陽イオン生成溶液注入口又は陽イオン生成溶液出口を備え、
（ｃ４）前記陽イオン交換膜で容器断面に平行に積層した部屋の空間の一部から陽イオン生成溶液出口又は陽イオン生成溶液注入口を備える
（ｄ）陽イオン除去部と
（ｄ１）前記陽イオン除去部が前記陽イオン生成部の陰極側に隣接し、前記フッ素系陽イオン交換膜Ｍ３に接して陽イオン交換体Ｃ３を充填した部屋と
（ｄ２）前記陽イオン交換体Ｃ３の充填された部屋の他端を陽イオン交換膜Ｍ４で仕切られ、
（ｄ３）前記陽イオン交換体Ｃ３の充填された部屋の一部に陽イオン除去用溶液入口を備え、同部屋の他部位に陽イオン除去用溶液出口を備える
（ｅ）陽イオン排出部と
（ｅ１）前記陽イオン排出部が前記陽イオン除去部の陰極側に隣接し、前記陽イオン交換膜Ｍ４に接して陽イオン交換体Ｃ４の充填された部屋を備え、他端に通水孔付フッ素系陽イオン交換膜Ｍ５で仕切られる
（ｅ２）前記陽イオン交換体Ｃ４の充填された部屋の一部に陽イオン排出用溶液を注入する陽イオン排出用溶液入口を備える
（ｆ）陰極部と
（ｆ１）前記陰極部が陰極電極を備え、
（ｆ２）前記陰極電極の陽極側に、接する通水孔付フッ素系陽イオン交換膜Ｍ５で仕切られて
（ｆ３）前記陰極部に排出口を備える
を備える高純度塩基性溶液生成および不純物陽イオン除去一体型装置。
【請求項２】
電気再生式イオン生成除去一体型装置であって
（ａ）陰極部と
（ａ１）前記陰極部が陰極電極を備え、
（ａ２）前記陰極電極の陽極側に接する通水孔付きフッ素系陽イオン交換膜Ｍ１で仕切られて
（ａ３）前記陰極部に排出口を備える
（ｂ）陰イオン供給部と
（ｂ１）前記陰イオン供給部が前記陰極部の陽極側に隣接し、前記通水孔付フロン系陽イオン交換膜Ｍ１に接して陰イオン交換体Ａ１の充填された部屋と
（ｂ２）前記陰イオン交換体Ａ１の充填された部屋の他端が陰イオン交換膜Ｍ２で仕切られ、
（ｂ３）前記陰イオン交換体Ａ１の充填された部屋の一部に陰イオン供給用溶液入口を備える
（ｃ）陰イオン生成部と
（ｃ１）前記陰イオン生成部が前記陰イオン供給部の陽極側に隣接し、前記陰イオン交換膜Ｍ２に接して陰イオン交換膜で容器断面に平行に積層した部屋と
（ｃ２）陽イオン交換体Ｃ２の充填された部屋を備え、他端にフッ素系陽イオン交換膜Ｍ３で仕切られ、
（ｃ３）前記陽イオン交換体Ｃ２の充填された部屋の一部に陰イオン生成溶液注入口又は陰イオン生成溶液出口を備え、
（ｃ４）前記陰イオン交換膜で容器断面に平行に積層した部屋の空間の一部から陰イオン生成溶液出口又は陰イオン生成溶液注入口を備える
（ｄ）陰イオン除去部と
（ｄ１）前記陰イオン除去部が前記陰イオン生成部の陽極側に隣接し、前記フッ素系陽イオン交換膜Ｍ３に接して陰イオン交換体Ａ３を充填した部屋と
（ｄ２）前記陰イオン交換体Ａ３の充填された部屋の他端を陰イオン交換膜Ｍ４で仕切られ、
（ｄ３）前記陰イオン交換体Ａ３の充填された部屋の一部に陰イオン除去用溶液入口を備え、同部屋の他部位に陰イオン除去用溶液出口を備える
（ｅ）陰イオン排出部と
（ｅ１）前記陰イオン排出部が前記陰イオン除去部の陽極側に隣接し、前記陰イオン交換膜Ｍ４に接して陰イオン交換体Ａ４の充填された部屋を備え、他端に通水孔付陽イオン交換膜Ｍ５で仕切られる
（ｅ２）前記陰イオン交換体Ａ４の充填された部屋の一部に陰イオン排出用溶液を注入する陰イオン排出用溶液入口を備える
（ｆ）陽極部と
（ｆ１）前記陽極部が陽極電極を備え、
（ｆ２）前記陽極電極の陰極側に接する通水孔付きフッ素系陽イオン交換膜Ｍ５で仕切られて、
（ｆ３）前記陽極部に排出口を備える
を備える高純度酸性溶液生成および不純物陰イオン除去一体型装置。
【請求項３】
陰イオンクロマトグラフィーにおける塩基性溶離液生成および不純物陽イオン除去用として請求項１に記載の電気再生式イオン生成除去一体型装置を組み込んだイオンクロマトグラフ装置。
【請求項４】
陽イオンクロマトグラフィーにおける酸性溶離液生成および不純物陰イオン除去用として請求項２に記載の電気再生式イオン生成除去一体型装置を組み込んだイオンクロマトグラフ装置。
【発明の詳細な説明】
【技術分野】
【０００１】
本発明は電気再生式イオン生成除去一体型装置に関するものである。主にイオンクロマトグラフほか分析用に使用される高純度酸・塩基薬品の生成や化学処理液中の不純物イオンの除去に使用される両機能を備えた一体型装置に関するものである。
【背景技術】
【０００２】
従来、電気再生式イオン生成装置や電気再生式脱イオン装置はそれぞれが単独で使用される専用装置として開発されてきた。イオンクロマトグラフ装置等イオン分析装置ではそれぞれの装置が有する両機能を必要とし、組み合わせて使用してきたがそれらを一体化した装置が望まれていた。
すなわち、溶離液の生成にはイオン生成機能を、分離カラム後の脱溶離液には脱イオンの機能を備えた一体型装置で、一本化された電流で稼働し、簡略化した操作で運転可能な一体化装置の出現が期待されていた。
このような一体化装置を組み込んだイオンクロマトグラフ分析装置は、小型で携帯性を有するため、測定現場に運んでリアルタイムで分析するなど利用の拡大が期待される。
【０００３】
水溶液中の微量イオンの分析方法であるイオンクロマトグラフィーではイオンクロマトグラム（分析結果）のバックグラウンドを下げ、高感度な微量分析をめざすには高純度の溶離液が必須であり、しかもその取扱いには大気中の不純物の混入による汚染を防がねばならない。特に高純度の薬品レベルの溶離液を使用してもその補充や容器の交換時に触れる大気中の炭酸ガスやアンモニアガス等による汚染に注意しなければならず、その対策として分析者の手元で必要な時に必要とする濃度の溶離液を必要な量だけ安定的に生成する高純度溶離液の生成装置が提案され、一部に有効に使用されている。例えば、特許第４９６２８８１２号公報に開示された高純度電解質溶液生成装置がイオンクロマトグラフ用インラインの溶離液生成装置として好適に組み込まれて使用される。
【０００４】
また、イオンクロマトグラフィーでは分析対象イオンを含む溶離液を分離カラムに注入して分析対象成分別に分離展開し、分離カラムの外に溶出する。その溶出液を不純物イオン除去装置にかけて分析対象成分以外の溶離液成分を不純物イオンとして取り除き、電気伝導度検出器にかける。
かかる不純物イオン除去装置は高感度微量分析を支えるもう一つの柱であり、イオン交換膜の持つイオンの選択透過性を極限まで追い求めた装置として特許第５０１９６６３号公報に開示されている。
この不純物イオン除去装置や前記した高純度電解質溶液生成装置のいずれも両電極間にイオン交換物質を充填して電流を流し、通液中のイオンを選択移動させつつ、同時にイオン交換物質を再生し、連続運転が可能となっている。
前記した装置のイオン生成能力やイオン除去能力はイオン濃度や電流の大きさに依存しており、使用目的にそって各装置はそれぞれ運転条件を設定して操作されるのが通常である
これに対し、全く異なる概念である一体化装置による併用または単独運転による簡潔な操作をもたらす装置の実現こそが本発明がもたらすものである。
【０００５】
本発明の電気再生式イオン生成除去一体型装置に関して近接する構造、要素を示す先行技術を調べている。
先行技術は特表第２０１１−５１１２９０号公報で電解質溶離液リサイクルデバイス、装置および使用法について開示している。
ここでは装置図が前記公報の図１から図８まで開示されているが、その基本構成は共通しており、両電極間をそれぞれイオン交換膜で仕切り、その間に不要イオンを移動させる脱イオンゾーンと、それに隣りあわせにイオン交換膜を介してイオン濃縮ゾーンを形成している。イオンクロマトグラフィーの用法としてサプレッサーと溶離液生成装置を連結して一体化した装置として使用するもので本発明に近い。しかし、当該先行技術はリサイクル性をもたせるため、脱イオンゾーンで抜いたイオンをその隣のゾーンで溶離液用イオンとして濃縮して利用する構成となっているが、本発明では両ゾーンの係りが独立しており、構成が異なる。両電極間に溶離液生成ゾーンと、隣接して脱イオンゾーンを配置している。両ゾーンの係りはその境界にバイポーラ界面を形成して電気的には接続しているがそれぞれのゾーンで移動させるべきイオンを遮断し、水の解離イオンで再生イオンを供給し、互いに交じり合わない独立性を保っている点で大きく異なる。
【先行技術文献】
【特許文献】
【０００６】
【特許文献１】特表第２０１１−５１１２９０号公報
【発明の概要】
【発明が解決しようとする課題】
【０００７】
発明が解決すべき課題の第一は、一体型装置全体に高電流を流し、イオンの生成能力や脱イオンの能力を飛躍的に高め、高感度なイオン分析を安定して実施できる耐高電流構造を有することを目指す。すなわち、高感度分析を支える2大柱である高純度な電解質溶液の生成と超希薄濃度のバックグラウンドを形成し得る大きな脱イオンを達成するには高電流を安定して流せる装置であることが必須である。
【０００８】
次いで、第二の課題は、一体型装置はイオン生成機能と脱イオン機能のいずれも互いに独立していて相互に生成対象イオンの移動が伴わない構造である。
すなわち、イオン生成機能はその目的に応じて目標とするイオン濃度に調整したイオン生成溶液を供給することこができる機能のことでイオン生成のみを単独で一体型装置を運転することも可能とすることである。また、脱イオン機能もまた同様である。
【課題を解決するための手段】
【０００９】
上記第一の課題を解決するため、一体型装置の両電極間に高電流を長時間かけたときに膜焼けの原因になる電極界面やバイポーラ界面を形成するイオン交換膜に代えて、耐熱性、耐薬品性、化学的安定性に優れるフッ素系陽イオン交換膜を使用することで解決を図ろうとするものである。
【００１０】
電極界面ではいわゆる電極反応による酸化、還元作用から電極に接触する材料の劣化問題が生ずるから耐久性のあるフッ素系陽イオン交換膜を使用する。
そして電極まわりの構造的な問題、すなわち電極反応で生成する水素ガス、酸素ガス、副生成物の系内の侵入を阻止するために、系内から通水孔付膜を介して、溶液を外部に洗い出すことで解決する。そのために、通水孔付フッ素系陽イオン交換膜を好適に使用する。
【００１１】
さらに、バイポーラ界面の中でも水の解離イオンを生成する界面では電気化学的反応が極めて激しく、強酸性または強塩基性の強い環境になり、界面を構成するイオン交換膜の耐久性の向上が要求される。かかるイオン交換膜としてフッ素系陽イオン交換膜を好適に使用する。
なお、各種のイオン交換膜、イオン交換樹脂を使ってバイポーラ界面を形成し、そこに高電流をかけて耐久性の比較実験をしているので後述する実験例で示すことする。
また、後述する実験例では装置内径６ｍｍΦの円筒で最大電流密度が１Ａ／ｃｍ２の能力を有する装置であるが、その７０％レべルの７００ｍＡ／ｃｍ２で、常時、２００ｍＡを流し比較実験を行っている。
しかし、本発明の実施例では電流変化を見るため、０から１００ｍＡまでとしているがこの電流は最大２５０ｍＡまで流すことが可能である。これは既設の装置の約１００倍以上の高電流を流せる能力を有することとなる。
【００１２】
上記第二の課題を解決するため、一体型装置におけるイオン生成機能部分と脱イオン機能部分の間をバイポーラ界面で接続し、生成対象イオンの脱イオン側への移動を遮断し、脱イオン側へ再生用にH+イオンないしOH-イオンを供給する構造とする。
上記手段を取り入れた本発明の電気再生式イオン形成除去一体型装置を、以下に示すこととする。
【００１３】
＜基本構造１＞
本発明の電気再生式陽イオン生成除去一体型装置（図１）である陰イオンクロマト分析用一体型装置（又は略称してアニオンクロ用一体型装置という）の基本構造について図１を参照して説明する。
電気再生式イオン生成除去一体型装置であって
（ａ）陽極部と
（ａ１）前記陽極部が陽極電極を備え、
（ａ２）前記陽極電極の陰極側に、接する通水孔付フッ素系陽イオン交換膜Ｍ１で仕切られて
（ａ３）前記陽極部に排出口を備える
（ｂ）陽イオン供給部と
（ｂ１）前記陽イオン供給部が前記陽極部の陰極側に隣接し、前記通水孔付フッ素系陽イオン交換膜Ｍ１に接して陽イオン交換体Ｃ１の充填された部屋と
（ｂ２）前記陽イオン交換体Ｃ１の充填された部屋の他端が陽イオン交換膜Ｍ２で仕切られ、
（ｂ３）前記陽イオン交換体Ｃ１の充填された部屋の一部に陽イオン供給用溶液入口を備える
（ｃ）陽イオン生成部と
（ｃ１）前記陽イオン生成部が前記陽イオン供給部の陰極側に隣接し、前記陽イオン交換膜Ｍ２に接して陽イオン交換膜で容器断面に平行に積層した部屋と
（ｃ２）陰イオン交換体Ａ２の充填された部屋を備え、他端にフッ素系陽イオン交換膜Ｍ３で仕切られ
（ｃ３）前記陰イオン交換体Ａ２の充填された部屋の一部に陽イオン生成溶液注入口又は陽イオン生成溶液出口を備え、
（ｃ４）前記陽イオン交換膜で容器断面に平行に積層した部屋の空間の一部から陽イオン生成溶液出口又は陽イオン生成溶液注入口を備える
（ｄ）陽イオン除去部と
（ｄ１）前記陽イオン除去部が前記陽イオン生成部の陰極側に隣接し、前記フッ素系陽イオン交換膜Ｍ３に接して陽イオン交換体Ｃ３を充填した部屋と
（ｄ２）前記陽イオン交換体Ｃ３の充填された部屋の他端を陽イオン交換膜Ｍ４で仕切られ、
（ｄ３）前記陽イオン交換体Ｃ３の充填された部屋の一部に陽イオン除去用溶液入口を備え、同部屋の他部位に陽イオン除去用溶液出口を備える
（ｅ）陽イオン排出部と
（ｅ１）前記陽イオン排出部が前記陽イオン除去部の陰極側に隣接し、前記陽イオン交換膜Ｍ４に接して陽イオン交換体Ｃ４の充填された部屋を備え、他端に通水孔付陽イオン交換膜Ｍ５で仕切られる
（ｅ２）前記陽イオン交換体Ｃ４の充填された部屋の一部に陽イオン排出用溶液を注入する陽イオン排出用溶液入口を備える
（ｆ）陰極部と
（ｆ１）前記陰極部が陰極電極を備え、
（ｆ２）前記陰極電極の陽極側に、接する通水孔付フッ素系陽イオン交換膜Ｍ５で仕切られて
（ｆ３）前記陰極部に排出口を備える
を備える高純度塩基性溶液生成および不純物陽イオン除去一体型装置である。
【００１４】
この一体型装置では陽極側に陽イオン生成部分を、陰極側に陽イオン除去部分を備え、両部分の境目にバイポーラ界面（陰イオン交換体Ａ２とフッ素系陽イオン交換膜Ｍ３）を形成しており、耐久性のあるフッ素系陽イオン交換膜が使われている。また、両電極部分には電極に接触して通水孔付フッ素系陽イオン交換膜が備えられている。
上記（ｃ）陽イオン生成部で、（ｃ３）前記陰イオン交換体Ａ２の充填された部屋の一部に陽イオン生成溶液注入口を備えた場合は（ｃ４）前記陽イオン交換膜で容器断面に平行に積層した部屋の空間の一部から陽イオン生成溶液出口を備えることとなるが、（ｃ３）前記陰イオン交換体Ａ２の充填された部屋の一部に陽イオン生成溶液出口を備えた場合は（ｃ４）前記陽イオン交換膜で容器断面に平行に積層した部屋の空間の一部から陽イオン生成溶液注入口を備えることとなる。これは陽イオン生成溶液の流れが両部屋の界面を介して対称形をなし得るからである。
なお、図１には陽イオン除去部２にもう一つの陽イオン交換膜ＭＭが描かれているが本発明には必須ではない。例えば、スペーサーとしてイオンの流れに影響がない中立なイオン交換膜が装着される場合などである。
【００１５】
＜基本構造２＞
本発明の電気再生式陰イオン生成除去一体型装置（図２）である陽イオンクロマト分析用一体型装置（又は略称としてカチオンクロ一体型装置という）の基本構造について図２を参照して説明する。
電気再生式イオン生成除去一体型装置であって
（ａ）陰極部と
（ａ１）前記陰極部が陰極電極を備え、
（ａ２）前記陰極電極の陽極側に接する通水孔付フッ素系陽イオン交換膜Ｍ１で仕切られて
（ａ３）前記陰極部に排出口を備える
（ｂ）陰イオン供給部と
（ｂ１）前記陰イオン供給部が前記陰極部の陽極側に隣接し、前記通水孔付フッ素系陽イオン交換膜Ｍ１に接して陰イオン交換体Ａ１の充填された部屋と
（ｂ２）前記陰イオン交換体Ａ１の充填された部屋の他端が陰イオン交換膜Ｍ２で仕切られ、
（ｂ３）前記陰イオン交換体Ａ１の充填された部屋の一部に陰イオン供給用溶液入口を備える
（ｃ）陰イオン生成部と
（ｃ１）前記陰イオン生成部が前記陰イオン供給部の陽極側に隣接し、前記陰イオン交換膜Ｍ２に接して陰イオン交換膜で容器断面に平行に積層した部屋と
（ｃ２）陽イオン交換体Ｃ２の充填された部屋を備え、他端にフッ素系陽イオン交換膜Ｍ３で仕切られ、
（ｃ３）前記陽イオン交換体Ｃ２の充填された部屋の一部に陰イオン生成溶液注入口又は陰イオン生成溶液出口を備え、
（ｃ４）前記陰イオン交換膜で容器断面に平行に積層した部屋の空間の一部から陰イオン生成溶液出口又は陰イオン生成溶液注入口を備える
（ｄ）陰イオン除去部と
（ｄ１）前記陰イオン除去部が前記陰イオン生成部の陽極側に隣接し、前記フッ素系陽イオン交換膜Ｍ３に接して陰イオン交換体Ａ３を充填した部屋と
（ｄ２）前記陰イオン交換体Ａ３の充填された部屋の他端を陰イオン交換膜Ｍ４で仕切られ、
（ｄ３）前記陰イオン交換体Ａ３の充填された部屋の一部に陰イオン除去用溶液入口を備え、同部屋の他部位に陰イオン除去用溶液出口を備える
（ｅ）陰イオン排出部と
（ｅ１）前記陰イオン排出部が前記陰イオン除去部の陽極側に隣接し、前記陰イオン交換膜Ｍ４に接して陰イオン交換体Ａ４の充填された部屋を備え、他端に通水孔付陽イオン交換膜Ｍ５で仕切られる
（ｅ２）前記陰イオン交換体Ａ４の充填された部屋の一部に陰イオン排出用溶液を注入する陰イオン排出用溶液入口を備える
（ｆ）陽極部と
（ｆ１）前記陽極部が陽極電極を備え、
（ｆ２）前記陽極電極の陰極側に接する通水孔付きフロン系陽イオン交換膜Ｍ５で仕切られて、
（ｆ３）前記陽極部に排出口を備える
を備える高純度酸性溶液生成および不純物陰イオン除去一体型装置である。
【００１６】
この一体型装置では陰極側に陰イオン生成部分を、陽極側に陰イオン除去部分を備え、両部分の境目にバイポーラ界面（フッ素系陽イオン交換膜Ｍ３と陰イオン交換体Ａ３）を形成しており、耐久性のあるフッ素系陽イオン交換膜が使われている。また、両電極部分には電極に接触して通水孔付フッ素系陽イオン交換膜が備えられている。
上記（ｃ）陰イオン生成部で、（ｃ３）前記陽イオン交換体Ｃ２の充填された部屋の一部に陰イオン生成溶液注入口を備えた場合は（ｃ４）前記陰イオン交換膜で容器断面に平行に積層した部屋の空間の一部から陰イオン生成溶液出口を備えることとなるが、（ｃ３）前記陽イオン交換体Ｃ２の充填された部屋の一部に陰イオン生成溶液出口を備えた場合は（ｃ４）前記陰イオン交換膜で容器断面に平行に積層した部屋の空間の一部から陰イオン生成溶液注入口を備えることとなる。これは陰イオン生成溶液の流れが両部屋の界面を介して対称形をなし得るからである。
なお、図２には陰イオン生成部２５にもう一つの陽イオン交換膜ＭＭが描かれているが本発明には必須ではない。例えば、スペーサーとしてイオンの流れに影響がない中立なイオン交換膜が装着される場合などである。
【００１７】
＜基本構造１のイオンクロ用利用態様＞
そして、上記基本構造１の陽イオン生成除去一体型装置（図１）は、陰イオンクロマトグラフィーにおける塩基性溶離液生成および不純物陽イオン除去用として組み込まれて使用される。イオンクロマトグラフ装置は主たる構成として、陽イオン源、基本構造１の陽イオン生成除去一体型装置（図１）、分離カラム、電気伝導度検出器とそれらを結ぶポンプ、配管からなる。
【００１８】
＜基本構造２のイオンクロ用利用態様＞
さらに、上記基本構造２の陰イオン生成除去一体型装置（図２）は陽イオンクロマトグラフィーにおける酸性溶離液生成および不純物陰イオン除去用として組み込まれて使用される。イオンクロマトグラフ装置は主たる構成として、陰イオン源、基本構造２の陰イオン生成除去一体型装置（図１）、分離カラム、電気伝導度検出器とそれらを結ぶポンプ、配管からなる。
【００１９】
＜装置の単独機能運転＞
基本構造１の陽イオン生成除去一体型装置（図１）にあっても、また基本構造２の陰イオン生成除去一体型装置（図２）であっても、いずれもイオン生成機能の単独運転するときはイオン除去装置に除去対象イオン溶液として純水を使い運転すればよい。
同様にイオン除去機能の単独運転するときはイオン生成装置にイオン源溶液として純水を使い運転すればよい。
【発明の効果】
【００２０】
高電流下で安定して大きなイオン生成能力と除去能力を発揮し、簡易な操作で運転が可能な電気再生式イオン生成除去一体型装置である。
【図面の簡単な説明】
【００２１】
【図１】電気再生式陽イオン生成除去一体型装置（基本構造１）の概略断面図である。図中、陰イオン交換体として＋、陽イオン交換体として−の記号はそれぞれ固定イオン交換基の極性を表す。
【図２】電気再生式陰イオン生成除去一体型装置（基本構造２）の概略断面図である。図中、陰イオン交換体として＋、陽イオン交換体として−の記号はそれぞれ固定イオン交換基の極性を表す。
【図３】NaＯＨ溶液生成システムのフローチャートである。
【図４】生成するNaＯＨ溶液の電気伝導度の変化（Na+濃度）を表す。
【図５】陽イオン除去システムのフローチャートである。
【００２２】
【図６】各電流値に対する脱イオン濃度（Na+濃度）を表す。
【図７】図４に図６を組み込んだNa+濃度図である。
【図８】測定に用いたアニオンクロマトグラフのフローチャートを表す。
【図９】得られたアニオンクロマトグラムを表す。
【図１０】イオン生成部分１でホウ酸Na溶液を生成した時のアニオンクロマトグラフのフローチャートである。
【００２３】
【図１１】得られたアニオンクロマトグラムを表す。
【図１２】HCL溶液生成システムのフローチャートを示す。
【図１３】生成するHCL溶液の電気伝導度の変化（Cl−濃度）を表す。
【図１４】陰イオン除去システムのフローチャートを表す。
【図１５】各電流値に対する脱イオン濃度（Cl−濃度）を表す。
【００２４】
【図１６】図１３に図１５を組み込んだCl−濃度を表す。
【図１７】測定に用いたカチオンクロマトグラフのフローチャートを表す。
【図１８】得られたカチオンクロマトグラムを表す。
【図１９】実験で用いた電気再生式脱イオン装置の耐久テストに利用した装置の概略図を示す。
【図２０】実験で用いた電気再生式脱イオン装置の概略断面図を示す。中央バイポーラ界面を陰イオン交換体と通水孔付フッ素系陽イオン交換膜で形成した装置の概略断面図である。
【００２５】
【図２１】実験で用いた電気再生式脱イオン装置の概略断面図を示す。中央バイポーラ界面を陽イオン交換体と通水孔付陰イオン交換膜で形成した装置の概略断面図である。
【図２２】実験で用いた電気再生式脱イオン装置の概略断面図を示す。中央バイポーラ界面を陰イオン交換体と通水孔付陽イオン交換膜で形成した装置の概略断面図である。
【図２３】実験で用いた電気再生式脱イオン装置の概略断面図を示す。中央バイポーラ界面を陰イオン交換体と陽イオン交換体で形成した装置の概略断面図である。
【図２４】測定した電圧の変化を表す。印加電流２００ｍＡで電気再生式脱イオン装置の耐久試験結果である。図中の記号で×は中央部のバイポーラ界面である陰イオン交換樹脂と通水孔付フッソ系陽イオン交換膜で形成した装置（図２０）での耐久試験結果である。□は中央バイポーラ界面を陰イオン交換体と通水孔付陽イオン交換膜（C66）で形成した装置（図２２）での耐久試験結果である。〇は中央バイポーラ界面を陽イオン交換体と通水孔付陰イオン交換膜（AHA）で形成した装置（図２１）での耐久試験結果である。△は中央バイポーラ界面を陰イオン交換体と陽イオン交換体で形成した装置（図２３）での耐久試験結果である。
【発明を実施するための形態】
【００２６】
本発明について、最良の実施形態を示し、ついで実施例、実験例を詳述する。
［基本構造１の実施形態］
本発明の基本構造１の実施形態は図１に示す。
本発明の電気再生式陽イオン生成除去一体型装置の実施形態である陰イオンクロマト分析用一体型装置についてその構成と作用を、図１を参照して説明する。
電気再生式イオン生成除去一体型装置であって
（ａ）陽極部と
（ａ１）前記陽極部が陽極電極を備え、
（ａ２）前記陽極電極の陰極側に、接する通水孔付フッ素系陽イオン交換膜Ｍ１で仕切られて
（ａ３）前記陽極部に排出口を備える
（ｂ）陽イオン供給部と
（ｂ１）前記陽イオン供給部が前記陽極部の陰極側に隣接し、前記通水孔付フロン系陽イオン交換膜Ｍ１に接して陽イオン交換体Ｃ１、好ましくは陽イオン交換樹脂Ｃ１の充填された部屋と
（ｂ２）前記陽イオン交換体Ｃ１、好ましくは陽イオン交換樹脂Ｃ１の充填された部屋の他端が陽イオン交換膜Ｍ２で仕切られ、
（ｂ３）前記陽イオン交換体Ｃ１、好ましくは陽イオン交換樹脂Ｃ１の充填された部屋の一部に陽イオン供給用溶液入口を備える
（ｃ）陽イオン生成部と
（ｃ１）前記陽イオン生成部が前記陽イオン供給部の陰極側に隣接し、前記陽イオン交換膜Ｍ２に接して陽イオン交換膜で容器断面に平行に積層した部屋と
（ｃ２）陰イオン交換体Ａ２、好ましくは陰イオン交換樹脂Ａ２の充填された部屋を備え、他端にフッ素系陽イオン交換膜Ｍ３で仕切られ
（ｃ３）前記陰イオン交換体Ａ２、好ましくは陰イオン交換樹脂Ａ２の充填された部屋の一部に陽イオン生成溶液注入口又は陽イオン生成溶液出口を備え、
（ｃ４）前記陽イオン交換膜で容器断面に平行に積層した部屋の空間の一部から陽イオン生成溶液出口又は陽イオン生成溶液注入口を備える
（ｄ）陽イオン除去部と
（ｄ１）前記陽イオン除去部が前記陽イオン生成部の陰極側に隣接し、前記フッ素系陽イオン交換膜Ｍ３に接して陽イオン交換体Ｃ３、好ましくは陽イオン交換樹脂Ｃ３を充填した部屋と
（ｄ２）前記陽イオン交換体Ｃ３、好ましくは陽イオン交換樹脂Ｃ３の充填された部屋の他端を陽イオン交換膜Ｍ４で仕切られ、
（ｄ３）前記陽イオン交換体Ｃ３、好ましくは陽イオン交換樹脂Ｃ３の充填された部屋の一部に陽イオン除去用溶液入口を備え、同部屋の他部位に陽イオン除去用溶液出口を備える
（ｅ）陽イオン排出部と
（ｅ１）前記陽イオン排出部が前記陽イオン除去部の陰極側に隣接し、前記陽イオン交換膜Ｍ４に接して陽イオン交換体Ｃ４、好ましくは陽イオン交換樹脂Ｃ４の充填された部屋を備え、他端に通水孔付陽イオン交換膜Ｍ５で仕切られる
（ｅ２）前記陽イオン交換体Ｃ４、好ましくは陽イオン交換樹脂Ｃ４の充填された部屋の一部に陽イオン排出用溶液を注入する陽イオン排出用溶液入口を備える
（ｆ）陰極部と
（ｆ１）前記陰極部が陰極電極を備え、
（ｆ２）前記陰極電極の陽極側に、接する通水孔付きフッ素系陽イオン交換膜Ｍ５で仕切られて
（ｆ３）前記陰極部に排出口を備える
を備える高純度塩基性溶液生成および不純物陽イオン除去一体型装置である。
図１に示す一体型装置は、塩基性溶離液の生成装置と不純物陽イオン除去装置を有する装置である。
【００２７】
装置の左側に陽極、右側に陰極を配置しているが左右いずれでもよく、便宜的にこの配置で示しているだけである。
装置全体はその機能によって陽極部、陽イオン供給部、陽イオン生成部、陽イオン除去部、陽イオン排出部、陰極部からなっており、図示していないが樹脂製容器に収納されている。その装置は両電極板を挟んで、陽イオン交換体充填層、陰イオン交換体充填層、陽イオン交換膜積層体、陽イオン交換膜、通水孔付フッ素系陽イオン交換膜を使って組み立てられている。樹脂製容器は例えば内径６ｍｍΦの筒状をなし、内部が前記機能別部位間で連通しており、また、外部から溶液を注入する入口と出口を適宜に備え、全体がＰＥＥＫ（ポリエーテルエーテルケトン）、ＰＰ（ポリプロピレン）等の絶縁性の材質で構成されている。
【００２８】
＜フッ素系陽イオン交換膜＞
ポリフッ化ビニルにスルホン基を末端に有するテトラフルオロエチレンを結合させたフッ素系陽イオン交換膜である登録商標Nafion膜（デュポン社製）をはじめ、登録商標セレミオンCMF膜（旭硝子社製）があげられる。
また、前記登録商標Nafion膜にはいくつかの種類が発表されているNRE-212、115、117、324、424、551のいずれも好適に用いることができる。
ポリマーの基本骨格がフッ素系化合物でなることから耐酸、耐塩基、耐熱、化学的安定性といった性状を有し、これにイオン交換基としてスルホン基を組み込んで陽イオン交換膜にしたものである。本発明ではこの性状に着目して、最も過酷な状態を来す部位に使用するものである。
【００２９】
＜通水孔付フッ素系陽イオン交換膜＞
フッ素系陽イオン交換膜の全面にスリット加工等を施し、小さな通水孔を開けたものである。膜は、通常、液体を透過させにくい程に表面が緻密であるため、膜に通水孔を設けて水溶液を流せるようにしたものである。電極板に生成するガス、副反応物等を系外に排出しつつ、通水孔を経由して系内に侵入することを防ぐために、通水するのである。
【００３０】
＜イオン交換膜＞
陰・陽イオン交換膜は液体の透過性が小さく、透過率は1/100-1/1000程度のものが使用される。この程度の透過率であれば、下限域で電気泳動によるイオンの移動にともない電気浸透流（イオンの周囲にある水分子がイオンと共に移動する）といわれる水の透過がみられるからである。すなわち、下限域以下では水が透過せずイオンの移動が困難になるからである。さらに上限域でイオンの選択透過性が発現する上限であり、陰イオン交換膜では陰イオンを透過させるが陽イオンを透過させない。陽イオン交換膜ではその逆の性質を有する。今日、多くの種類が開発されており、その多くが使用できる。好ましくは、耐酸化性、耐塩基性、耐熱性にすぐれたイオン交換膜である。陰イオン交換膜としては例えばネオセプタ（登録商標）AHA、AMX、ACS，AFN、AFX（トクヤマ社製）、セレミオン(登録商標) AMV，AMT，DS V，AAV，ASV，AHO，AHT，APS4（旭硝子社製）などを用いることができる。また、陽イオン交換膜としては前記フッ素系陽イオン交換膜のほかスチレン系のセレミオン(登録商標) CMV，CMD、HSF，CSO（旭硝子社製）、ネオセプタ（登録商標）C66（トクヤマ社製）などを用いることができる。
【００３１】
＜イオン交換体＞
イオン交換体はイオン交換機能を有する物質を指し、イオン交換樹脂、モノリス状有機多孔質イオン交換体などがあり、これらの単体でも混合体でもよい。またそれらが成形加工されたビーズ状、繊維状、不織布状、膜状ほかのものが扱いやすい。イオン交換体相全体として陽または陰イオンのイオン交換能を有すればこれら二種以上のイオン交換体を適宜、交互に積層しても混相してもよい。陽イオン交換樹脂としては特に制限はないが例えばアンバライト(登録商標) IR120B，DOWEX（登録商標）50WX2，50WX4，50WX8（ダウ・ケミカル社製）などを用いることができる。これらの中でも強酸性で高交換容量のイオン交換基を有するアンバライト（登録商標）IR120B、DOWEX（登録商標）50WX8が好ましい。陰イオン交換樹脂としては強塩基性で高交換容量のイオン交換基を有するアンバライト(登録商標) IRA402BL、DOWEX（登録商標）1X8、2X8等を用いることができる。
【００３２】
＜電極＞
電極としては電界分布が均一で接触する通水孔フッ素系陽イオン交換膜から排出される液の通過を妨げない形状が好ましく、棒状や、網目状や、環状のものを用いることができる。材質は特に限定されるものではないが、耐腐食性のある白金が好ましい。
電源は装置本体に組み込んで内装化してもよく、外部電源を用いてもよく、直流電源が好ましいが正にバイアス変換された交流電源でもよい。なお通常運転状態で許容される電圧、電流は装置の大きさによるがおおよそ0.1-150 V，0.1-250 mAである。
【００３３】
＜陽イオン供給溶液＞
アルカリ金属水酸化物、アルカリ土類金属水酸化物、アンモニウム基（アミン基）の水酸化物等の水溶性で塩基性示す物質の総称であるアルカリ、そのほかアルカリ金属炭酸塩やアルカリ金属リン酸塩、アンモニア、アミン等である。
また、本一体型装置の脱イオン機能のみで運転する場合は純水である。
＜陽イオン生成溶液＞
溶離液の性状として分離カラム中の溶出展開過程で、カラム充填物固有の酸や塩基からの影響を緩和してpH環境を安定にしたものとするべく緩衝液が必要な場合がある。その場合、塩基pH域ではホウ酸、炭酸等弱酸性溶液が使用されることになる。また、緩衝液を必要としない場合は純水が使用される。
さらに、本一体型装置の脱イオン機能のみで運転する場合は純水である。
＜陽イオン除去溶液＞
脱イオンの対象イオンが陽イオンで、通常は、塩基性溶離液を使用して分離カラムから溶出された溶液である。また、本一体型装置の脱イオン機能のみで運転する場合はその目的対象溶液である。さらに、本一体型装置の溶離液生成機能のみで運転する場合は純水を使用する。
＜陽イオン排出用溶液＞
通常は、純水が使用されるが電気伝導度測定後のプロセスリサイクル液を使用してもよい。
＜純水＞
通常では電気伝導度が1 μS/cm以下の純水である。
【００３４】
（ａ）陽極部
陽極部は陽極電極とこれに接する通水孔付フッ素系陽イオン交換膜Ｍ１で仕切られ、その陽極電極の反対側に陽イオン供給溶液出口，すなわち陽極部排出口が設けられている。
陽極電極は電源とつなぎ、通電すると通水孔付陽イオン交換膜Ｍ１を介して隣接する陽イオン供給部の陽イオン交換体Ｃ１、好ましくは陽イオン交換樹脂Ｃ１充填層に電流が伝わり、その後、陰極電極にいたるまで装置内のイオン移動、水の解離にその枢動源として機能していく。なお、通電する前に、本装置のすべてに水溶液の存在が必須であり、本体に備える溶液ないし水の注入口から水溶液が注入され、本体内部を通ってそれぞれ排出口より排出されている状態が作られている必要がある。通水孔付フッ素系陽イオン交換膜Ｍ１は、他のイオン交換樹脂と同様にイオン交換能を有することから水溶液の存在下で固体電解質として働き、通電性を示す。ついで電極反応で生ずる酸化作用から周辺のイオン交換樹脂を守るため、耐酸化性のあるバリアとして機能し、あわせて生成する酸素ガスや副生成物が系内に侵入するのを防ぐため、系内から通水孔を経由して水溶液を放出させる。
【００３５】
（ｂ）陽イオン供給部
陽イオン供給用溶液入口より、目標の濃度を有する溶離液を生成するために陽イオン源、例えばNa２ＣＯ３水溶液を濃度調整して、系外から陽イオン交換樹脂Ｃ１充填層に注入する。陽イオン交換樹脂Ｃ１充填層は陽極側に通水孔付フッ素系陽イオン交換膜Ｍ１で、陰極側に陽イオン交換膜Ｍ２で仕切られている。系外から注入されたNa２CO3水溶液は、Na+が陽イオン交換樹脂Ｃ１充填層にイオン交換しながら移動していき、水が通水孔付フッ素系陽イオン交換膜Ｍ１の通水孔から系外に排出していく。
他方、陽極の電極反応で生じたH+は通水孔付フッ素系陽イオン交換膜Ｍ１を介して陽イオン交換樹脂Ｃ１充填層に向けて移動する。
Na+は陽イオン交換樹脂Ｃ１のイオン交換基に取り込まれながら、次いでH+によって置換されて移動を繰り返す、界面動電現象により陰極に向け移動していくことになる。陽イオン交換樹脂Ｃ２はこのようにしてイオン交換しながら自動的に再生されていく。
そして、陽イオン（Na+）は陽イオン交換膜Ｍ２を経て、隣接する陽イオン生成部へと移動していく。
【００３６】
（ｃ）陽イオン生成部
容器断面に平行とは、両電極をつなぐ軸に垂直な断面であり、これに平行に陽イオン交換膜で積層した充填層が図１の示す上下に開けた隙間を設けた構造となっている。
この隙間には隣接する陰イオン交換樹脂Ａ２層に注入された陽イオン生成溶液で通常、純水が流れ込み、上部隙間から下部の陽イオン生成用溶液出口に向けて積層充填層の中を通る。下部隙間には隣接する陰イオン交換樹脂Ａ２層との界面に濃縮してくる陽イオンを洗い流した溶液が流れ込み、陽イオン生成用溶液出口から系外に送り出される。
陽イオン生成溶液の流れは界面を介して上記の流れに対称形をなす流れでもよい。すなわち、上部隙間に注入された陽イオン生成溶液で通常、純水が積層充填層の中を通り、さらに隣接する陽イオン交換樹脂Ａ２層との界面に濃縮してくる陽イオンを洗い流した溶液が下部隙間に隣接する陰イオン交換樹脂Ａ２層の下部に備えた陽イオン生成用溶液出口から系外に送り出される。
陽イオン交換膜で積層した充填層には隣接する陽イオン交換膜Ｍ２を経て、移動してきたNa+イオンが電気泳動し、隣接する陰イオン交換樹脂Ａ２層で移動を阻まれ、界面に濃縮していく。そこに前記した純水が流れ込み、洗い流されて行くのである。陽イオン生成用溶液出口に移動してきたNa+は塩基性溶離液として系外に送り出され、H+は積層した陽イオン交換膜で選択透過されて、Na+を置換しながら再生していく。しかし、隣接の陰イオン交換樹脂Ａ２層への移動は阻まれていくが、陽イオン除去部との境目である陽イオン交換膜Ｍ３と陰イオン交換樹脂Ａ２層に形成したバイポーラ界面で水の解離から生成したＯＨ−が移動してきて先のH+と水を生成する。
陰イオン交換樹脂Ａ２層での電荷移動の担い手はOH-である。
【００３７】
（ｄ）陽イオン除去部
バイポーラ界面を形成する陽イオン交換膜Ｍ３で生成したH+が陽イオン除去部の中核を形成する陽イオン交換樹脂Ｃ３の中を移動する。この陽イオン交換樹脂Ｃ３充填層には脱イオン処理する対象液である陽イオンを含む溶液、例えばNaOH水溶液で、主として陰イオンクロの分離カラムで溶出した分析対象の陰イオンが微量に混入する塩基性溶液が陽イオン除去用溶液入口から注入される。
陽イオン交換樹脂Ｃ３のイオン交換基によってNa+は取り込まれ、前記したバイポーラ界面を形成する陽イオン交換膜Ｍ３を介して移動してきたH+によって置換されて、陽イオン交換膜Ｍ４を介して隣接する陽イオン排出部に界面動電現象で移動させられる。ここでNa+が全量、陽イオン排出部に移動されなければ処理水にNa+が混入することになり、高感度の微量イオンのイオンクロマト分析が不可能になる。そのための大前提として前記した生成する溶離液の濃度を脱イオンする能力以下に抑える必要がある。
陽イオン交換樹脂Ｃ３充填層を流れて陽イオンを脱イオンされた処理水（HClを含む水）が、陽イオン交換膜Ｍ３、Ｍ４に行く手を阻まれながら同充填層の下部に備えた陽イオン除去用溶液出口から系外に排出される。
陰イオンクロマト分析ではこの処理水中の陰イオンを電気伝導率測定器にかけることにより、イオンクロマトグラムとして分析結果を示すことになる。
【００３８】
（ｅ）陽イオン排出部
陽イオン除去部で脱イオンされた陽イオン（Na+）は陽イオン交換樹脂Ｃ４充填層に移動し、イオン交換されて陽イオン交換樹脂Ｃ４に取り込まれながら、バイポーラ界面由来のH+に更に、置換されながら通水孔付フッ素系陽イオン交換膜M7の近辺に集積してくる。そこに陽イオン交換樹脂Ｃ４充填層の上部に備えられた陽イオン排出用溶液入口から純水が注入され、洗い流されて通水孔付フッ素系陽イオン交換膜M５の通水孔から陰極部に排出される。
【００３９】
（ｆ）陰極部
陰極部は陰極電極とこれに接する通水孔付フロン系陽イオン交換膜Ｍ５で仕切られ、その反対側に陽イオン排出用溶液出口、すなわち陰極部排出口が設けられている。
通水孔付フッ素系陽イオン交換膜Ｍ５の役割は、前述のとおり、通電性を示し、ついで電極反応で生ずる還元作用から周辺のイオン交換樹脂を守るため、耐塩基性のあるバリアとして機能し、あわせて生成する水素ガスや副生成物（NaOHほか）が系内に侵入するのを防ぐため、系内から通水孔を経由して水溶液を陽イオン排出用溶液出口より系外に排出させる。
【００４０】
［基本構造２の実施形態］
本発明の基本構造２の実施形態は図２に示す。
本発明の電気再生式陰イオン生成除去一体型装置の実施形態である陽イオンクロマト分析用一体型装置についてその構成と作用を、図２を参照して説明する。
電気再生式イオン生成除去一体型装置であって
（ａ）陰極部と
（ａ１）前記陰極部が陰極電極を備え、
（ａ２）前記陰極電極の陽極側に接する通水孔付きフロン系陽イオン交換膜Ｍ１で仕切られて
（ａ３）前記陰極部に排出口を備える
（ｂ）陰イオン供給部と
（ｂ１）前記陰イオン供給部が前記陰極部の陽極側に隣接し、前記通水孔付フロン系陽イオン交換膜Ｍ１に接して陰イオン交換体Ａ１、好ましくは陰イオン交換樹脂Ａ1の充填された部屋と
（ｂ２）前記陰イオン交換体Ａ１、好ましくは陰イオン交換樹脂Ａ1の充填された部屋の他端に陰イオン交換膜Ｍ２で仕切られ、
（ｂ３）前記陰イオン交換体Ａ１、好ましくは陰イオン交換樹脂Ａ1の充填された部屋の一部に陰イオン供給用溶液入口を備える
（ｃ）陰イオン生成部と
（ｃ１）前記陰イオン生成部が前記陰イオン供給部の陽極側に隣接し、前記陰イオン交換膜Ｍ２に接して陰イオン交換膜で容器断面に平行に積層した部屋と
（ｃ２）陽イオン交換体Ｃ２、好ましくは陽イオン交換樹脂C２の充填された部屋を備え、他端にフッ素系陽イオン交換膜Ｍ３で仕切られ、
（ｃ３）前記陽イオン交換体Ｃ２、好ましくは陽イオン交換樹脂C２の充填された部屋の一部に陰イオン生成溶液注入口又は陰イオン生成溶液出口を備え、
（ｃ４）前記陰イオン交換膜で容器断面に平行に積層した部屋の空間の一部から陰イオン生成溶液出口又は陰イオン生成溶液注入口を備える
（ｄ）陰イオン除去部と
（ｄ１）前記陰イオン除去部が前記陰イオン生成部の陽極側に隣接し、前記フッ素系陽イオン交換膜Ｍ３に接して陰イオン交換体Ａ３、好ましくは陰イオン交換樹脂Ａ３の充填した部屋と
（ｄ２）前記陰イオン交換体Ａ３、好ましくは陰イオン交換樹脂Ａ３の充填された部屋の他端を陰イオン交換膜Ｍ４で仕切られ、
（ｄ３）前記陰イオン交換体Ａ３、好ましくは陰イオン交換樹脂A３の充填された部屋の一部に陰イオン除去用溶液入口を備え、同部屋の他部位に陰イオン除去用溶液出口を備える
（ｅ）陰イオン排出部と
（ｅ１）前記陰イオン排出部が前記陰イオン除去部の陽極側に隣接し、前記陰イオン交換膜Ｍ４に接して陰イオン交換体Ａ４、好ましくは陰イオン交換樹脂A４の充填された部屋を備え、他端に通水孔付陽イオン交換膜Ｍ５で仕切られる
（ｅ２）前記陰イオン交換体Ａ４、好ましくは陰イオン交換樹脂A４の充填された部屋の一部に陰イオン排出用溶液を注入する陰イオン排出用溶液入口を備える
（ｆ）陽極部と
（ｆ１）前記陽極部が陽極電極を備え、
（ｆ２）前記陽極電極の陰極側に接する通水孔付きフロン系陽イオン交換膜Ｍ５で仕切られて、
（ｆ３）前記陽極部に排出口を備える
を備える高純度酸性溶液生成および不純物陰イオン除去一体型装置である。
【００４１】
本装置は図２に示すように左側に陰極、右側に陽極を示し、陰イオン溶離液の生成と脱陰イオンを目指した一体型装置である。
装置全体はその機能によって陰極部、陰イオン供給部、陰イオン生成部、陰イオン除去部、陰イオン排出部、陽極部からなっており、図示していないが樹脂製容器に収納されている。その装置は両電極板を挟んで、陽イオン交換体充填層、陰イオン交換体充填層、陰イオン交換膜積層体、陽イオン交換膜、陰イオン交換膜、通水孔付フッ素系陽イオン交換膜を使って組み立てられている。これら部材の詳細は前記したものと同じであり、省略する。
前記した陰イオンクロマト分析用一体型装置の構造に較べ、イオン交換体、イオン交換膜積層体は中心部の一部を除いて、多く、反対極性のものを使用して、注目する移動イオンの挙動も似ている。
従って、本装置について簡潔に説明をする。
【００４２】
＜陰イオン供給溶液＞
水溶液にしたとき陰イオンを解離するものとして塩酸、硝酸、亜硝酸、硫酸、リン酸、シュウ酸など各種酸、NaCl，KCl，KI、UF4等金属ハロゲン化物水溶液である。陰イオンを含む水溶液で、具体的に各イオンを列挙すれば、重複するが単原子イオンとして塩化物イオン、フッ化物イオン、臭化物イオン、ヨウ化物イオンとのハロゲン化物イオンであり、代表的な多原子イオンまたは分子イオンとして次亜塩素酸イオン、亜塩素酸イオン、塩素酸イオン、過塩素酸イオンといった塩素のオキソアニオンや酢酸イオン、ギ酸イオン、メタアクリル酸イオン、安息香酸イオン、シアン化イオン、チオシアン酸イオン、硝酸イオン、亜硝酸イオン、リン酸イオン、リン酸二水素イオン、硫酸イオン、硫酸水素イオン、硫化水素イオンである。
また、本一体型装置の脱イオン機能のみで運転する場合は純水である。
【００４３】
＜陰イオン生成溶液＞
溶離液の性状として分離カラム中の溶出展開過程で、カラム充填物固有の酸や塩基からの影響を緩和してpH環境を安定にしたものとするべく緩衝液が必要な場合がある。その場合、酸性pH域ではNa、K、NH3、アミン溶液等が使用される。また、緩衝液を必要としない場合は純水が使用される。
また、本一体型装置の脱イオン機能のみで運転する場合は純水である。
＜陰イオン除去溶液＞
脱イオンの対象イオンが陰イオンで、通常は、酸性溶離液を使用して分離カラムから溶出された溶液である。また、本一体型装置の脱イオン機能のみで運転する場合はその目的対象溶液である。
さらに、本一体型装置の溶離液生成機能のみで運転する場合は純水である。
＜陰イオン排出用溶液＞
通常は、純水が使用されるが電気伝導度測定後のプロセスリサイクル液を使用してもよい。
＜純水＞
通常では電気伝導度が1 μS/cm以下の純水である。
【００４４】
陰イオン供給部において供給される陰イオン源として、例えば高濃度のフッ化物イオン（F-），塩化物イオン（CL−），亜硝酸イオン（NO2-），硝酸イオン（NO3-），臭化物イオン（Br-），リン酸イオン（PO43-），硫酸イオン（SO42-）などの陰イオンを含んだ電解質溶液が陰イオン交換樹脂Ａ１充填層に注入されと、陰イオンは陰イオン交換樹脂Ａ１の交換基に取り込まれていく。例えば、NaCl水溶液を注入したとするとCl−が陰イオン交換樹脂Ａ１の交換基に取り込まれる。
他方、通水孔付フッ素系陽イオン交換膜Ｍ１は陰イオン交換樹脂Ａ１層とバイポーラ界面を形成し、水の解離により生成するOH-で、陰イオン交換樹脂Ａ１充填層の陰イオンCl−を置換しながら陰イオンCl−を陽極方向に界面動電現象で電気泳動させる。
陰イオン交換樹脂Ａ１充填層に遊離するNa＋は通水孔付フッ素系陽イオン交換膜Ｍ１に沿って濃縮していくが、注入水が洗い流して通水孔から陰極部へ排出する。OH-で生成するNaOHと未解離分NaClが陽極部排出口より排出される。
この後、陰イオンは陰イオン交換膜Ｍ２を通過し、陰イオン交換膜層で集積される。
隣接の陽イオン交換樹脂Ｃ２層に注入され、あるいは陰イオン交換膜層の上部隙間に注入された陰イオン生成溶液、通常は純水によって洗い流されて酸性溶離液として系外へ送られる。
【００４５】
陰イオン生成部分の端部である陽イオン交換樹脂Ｃ２層と陰イオン除去部分の
端部である陰イオン交換樹脂Ａ３層の間をフッ素系陽イオン交換膜Ｍ３でつないでいる。フッ素系陽イオン交換膜Ｍ３と隣接する陰イオン交換樹脂Ａ３充填層の界面がバイポーラ界面を形成し、水の解離により陽イオン交換樹脂Ｃ２側にH+を、陰イオン交換樹脂Ａ３側にOH-を生じさせる。
これらH+は前記した陰イオン交換膜層で集積された陰イオンと共に酸を形成する。OH-は陰イオン除去部の陰イオン交換樹脂Ａ３層に移動していく。
陰イオン除去部の陰イオン交換樹脂Ａ３充填層に微量の陽イオンを含む酸性溶離液（例えばHCl水溶液）を流し、不純物イオンとして、CL-は陰イオン交換樹脂Ａ３のイオン交換基に取り込まれつつ、前記したOH-に置換されながら陽極方向に電気泳動していく。微量の陽イオンを含む水溶液は陰イオン交換樹脂Ａ３層をフッ素系陽イオン交換膜Ｍ３，陰イオン交換膜Ｍ４に阻まれながら、
陰イオン除去用溶液出口から取り出される。次いで、電気伝導度検出器にかけ、イオンクロマトグラムとして分析結果を示す。
陰イオンは陰イオン交換樹脂Ａ３充填層を移動して陰イオン交換膜Ｍ４を通過し、陰イオン交換樹脂Ａ４層へ移動していく。
陰イオン交換樹脂Ａ４層に外部から陰イオン排出用溶液、通常は純水が注入され、通水孔付フッ素系陽イオン交換膜Ｍ５の通水孔を経て陽極部に排出される。
陰イオン交換樹脂Ａ４層と通水孔付フッ素系陽イオン交換膜Ｍ５との界面はバイポーラ界面を形成し、外部から注入された水の解離により、H+とOH-を生成し、陰イオン交換樹脂Ａ４充填層に移動してきたCl−の一部がH+と反応してHClを生成し、通水孔付フッ素系陽イオン交換膜Ｍ５の通水孔を経由して、陽極部に排出される。
陽極部では発生するO2、HClが陽極部排出口より排出される。
【実施例１】
【００４６】
（１）アニオンクロ用一体型装置の陽イオン生成機能を使用してNaOHの生成量の確認。
アニオンクロ用一体型装置（図1）の陽イオン供給部３を使用したNaOH溶液生成システムのフローチャートを図３に示す。
このシステムは、アニオンクロ用一体型装置（図１）のほか４つのポンプ（Pump1: ペリスタリックポンプ、日理工業製の制御装置を使用、Pump2: LC-10AD、島津、Pump3: LC-10AD、島津、Pump4: ペリスタリックポンプ、日理工業製の制御装置を使用）と、電気伝導度検出器(iSC8010の検出器のみを使用、日理工業)からなっている。
Pump1（0.5 mL/min）を使用し、10-100 mM Na2CO3溶液を陽イオン供給部分3に供給する。Pump2（1 mL/min）を使用し、純水を陽イオン生成部分1に供給する。
さらに、陽イオン除去部分、陽イオン排出部分についても水溶液を流しておく必要があるので、Pump3、Pump４を使って純水を1 mL/minで陽イオン除去用溶液入口、陽イオン排出用溶液入口にそれぞれ供給する。そして供給された溶液は陽イオン除去用溶液出口、陽イオン排出用溶液出口から排出される。
陽イオン供給部から10 mM Na2CO3、20 mM Na2CO3、50 mM Na2CO3、100 mM Na2CO3の各濃度で供給し、NaOHを生成させるが通電する電流の大きさによって生成されるNaイオン量が異なるのでさらに、電極間に印加する電流を調整することで、陽イオン供給部分3から陽イオン生成部分1に向けて移動するNaイオン量を調整する。陽イオン生成部分1に移動したNaイオンは、Pump2から供給した純水と一緒にNaOH溶液となり溶出する。陽イオン生成部分1から溶出したNaOH溶液は、検出用の電気伝導度検出器に流れ、溶出液の電気伝導度を測定する。
【００４７】
図1のアニオンクロ用一体型装置に、陽イオン供給部から10 mM Na2CO3、20 mM Na2CO3、50 mM Na2CO3、100 mM Na2CO3の各濃度で供給し、印加する電流を２０ｍＡ，４０ｍＡ，６０ｍＡ，８０ｍＡ、１００ｍＡに変化した時に、生成するNaOH溶液の電気伝導度の変化（Na+濃度）を図４に示す。
図４に示す記号は以下に示すとおりである。
◆：陽イオン供給部分3に10 mM Na2CO3を供給、
●：陽イオン供給部分3に20 mM Na2CO3を供給、
▲：陽イオン供給部分3に50 mM Na2CO3を供給、
×：陽イオン供給部分3に100 mM Na2CO3を供給、
【００４８】
（２）  アニオンクロ用一体型装置の脱陽イオン機能を使用してNaOH溶液の除去能力の確認。
アニオンクロ用一体型装置（図1）の陽イオン除去部分2を使用した陽イオン除去システムのフローチャートを図５に示す。
このシステムは、アニオンクロ用一体型装置（図１）のほか4つのポンプ（Pump1: ペリスタリックポンプ、日理工業製の制御装置を使用、Pump2: LC-10AD、島津、Pump3: ペリスタリックポンプ、日理工業製の制御装置を使用、Pump4: ペリスタリックポンプ、日理工業製の制御装置を使用）と、電気伝導度検出器(DX120の検出器のみ使用、Dionex)からなっている。
Pump1と3と4（1 mL/min）を使用し、純水を陽イオン供給部分３ と陽イオン生成部分１および陽イオン排出部分4に供給する。Pump2（1 mL/min）を使用し、50 mM NaOH溶液を陽イオン除去部分2に供給する。陽イオン除去部分2では、電場下において、陽イオン除去部分2から陽イオン排出部分4へ陽イオンの移動が起こっている。そのため、陽イオン除去部分2に流れ込んだNaOH溶液中に含まれる陽イオンは、陽イオン排出部分4に移動し除去される。そのため、陽イオン除去部分2からの溶出液は、脱陽イオン水となる。陽イオン除去部分2からの溶出液は、検出用の電気伝導度検出器に流れ、溶出液の電気伝導度を測定する。この電気伝導度からNa+濃度を求め、電流を変化させて電流０の時の
Na+濃度からの差を脱イオン能力として、各電流値に対する脱イオン濃度（
Na+濃度）を図６に示す。
【００４９】
（３）  アニオンクロ一体型装置（図１）をアニオンクロマトグラフィーにおける塩基性溶離液生成および不純物陽イオン除去用として組み込んだイオンクロマグラフ装置。
上記（１）のアニオンクロ一体型装置（図１）で生成するNaOH濃度が上記（２）のアニオンクロ一体型装置（図１）で除去できるNa+量より低くなることが必須である。このことは、溶離液のイオンの大半をカラム分離した後に脱イオン装置で除いてから残る検査対象イオンを電気伝導度で測定するイオンクロマトグラフィーの原理から明らかである。
従って、図４に図６を組み込んだ図７を見れば、アニオンクロ用一体型装置（図１）のNaOH溶液の生成量は、陽イオン供給部３に供給するNa2CO3溶液の濃度を低くすることで、陽イオン除去部分2で除去できるNaイオンの除去量よりも低くなることが分かる。
図７に追加された記号は以下に示す。
〇：陽イオン除去部分2のNaイオンの除去濃度
すなわち、アニオンクロ用一体型装置（図１）は、陽イオン供給部分3に供給するNa2CO3溶液の濃度と印加する電流を調整することで、アニオンクロマトグラフ用装置として利用できるようになる。
【００５０】
（４）アニオンクロ用一体型装置をアニオンクロマトグラフ装置に組み込んで標準アニオンサンプルを用いてイオンクロマトグラムを得る。
アニオンクロ用一体型装置（図１）に印加する電流と、陽イオン供給部分3に供給するNa2CO3溶液の濃度を調整することにより、図1のアニオンクロ用一体型装置のNaOH溶液の生成量は、陽イオン除去部分2の陽イオン除去量よりも少なくなり、そして、図1のアニオンクロ用一体型装置の陽イオン生成部分１で生成したNaOH溶液中のNaイオンは、陽イオン除去部分2で除去され、電気伝導度検出器で陰イオンを高感度に検出できることを確認した。測定に用いたアニオンクロマトグラフのフローチャートを図８に示す。
図１のアニオンクロ用一体型装置の陽イオン供給部分には、15 mM Na2CO3溶液（0.5 mL/min）を供給している。約2800 μS/cm (約12.5 mM) NaOH溶液を安定に生成するため、印加電流を100 mA (40 V)に設定した。
陽イオン生成部分1で生成した約2800 μS/cm NaOH溶液は、溶離液として標準アニオンサンプルと共に分離カラムに注入し、その溶出液を陽イオン除去部分2に投入してNaイオンは除去され、陽イオン除去部分2からの溶出液の電気伝導度は4 μS/cm以下となった。これは、陽イオン生成部分1で生成したNaOH溶液中のNaイオンがほとんど完全に除去されたことを意味する。
また、得られたアニオンクロマトグラムを図９に示す。
図９に示すアニオンクロマトグラムから分かるように、ベースラインは非常に安定していて、陰イオンの高感度検出が可能であることが確認できた。
使用したサンプルは次に示す。
1: water dip、2: F (0.5 mg/L)、3: Cl (1 mg/L)、4: NO2 (1.5 mg/L)、5: Br (1 mg/L)、6: NO3 (3 mg/L)、7: CO3 (unknown)、8: SO4 (4 mg/L)、9: PO4 (3 mg/L)、サンプル注入量(20 μL)。
【実施例２】
【００５１】
アニオンクロ用一体型装置（図１）を使用してホウ酸Na溶液を溶離液として生成し、併せて、アニオンクロマトグラフ装置に組み込んで標準アニオンサンプルを用いてイオンクロマトグラムを得る。
アニオンクロ用一体型装置（図1）を使用し、イオン生成部分1でホウ酸Na溶液を生成した時の、アニオンクロマトグラフのフローチャートを図１０に示す。
このシステムは、アニオンクロ一体型装置（図１）のほか2つのポンプ（Pump1: ペリスタリックポンプ、日理工業製の制御装置を使用、Pump2: LC-10AD、島津）と、インジェクター（20 uL、RHeodyne）と、分離カラム(Shim-Pack IC-SA2, 島津)と、電気伝導度検出器(ICA2000、東亜DKK)からなっている。
Pump1（0.5 mL/min）を使用し、15 mM Na2CO3溶液を陽イオン供給部分3に供給する。Pump2（1 mL/min）を使用し、20 ｍＭホウ酸溶液を陽イオン生成部分1に供給する。
また、同時に脱イオン部を立ち上げる必要があることから陽イオン除去部分、陽イオン排出部分のそれぞれの注入口より純水各1 mLを注入する。
電極間に電圧を印加することで、陽イオン供給部分3から陽イオン生成部分1に向けてNaイオンは移動する。陽イオン生成部分1に移動したNaイオンは、Pump2から供給したホウ酸溶液と一緒にホウ酸Na溶液となり溶出する。印加電流100 mA (約41 V)下において、使用した分離カラムの最適の約1050 μS/cmホウ酸Na溶液を陽イオン生成部分1で生成した。
生成したホウ酸Na溶液は、インジェクターに流れる。ホウ酸Na溶液とともに、インジェクターにより注入されたサンプル陰イオンは、分離カラムに流れる。サンプル陰イオンは、分離カラムでホウ酸Na溶液により分離・溶出され、陽イオン除去部分2に流れる。陽イオン除去部分2では、電場下において、陽イオン除去部分2から陽イオン排出部分4へ陽イオンの移動が起こっている。そのため、陽イオン除去部分2に流れ込んだ分離カラムの溶出液中に含まれる陽イオンは、陽イオン排出部分4に移動し除去される。そのため、陽イオン除去部分2からの溶出液は、ホウ酸と酸型のサンプル陰イオンとなる。
陽イオン除去部分2からの溶出液は、検出用の電気伝導度検出器に流れ、溶出液の電気伝導度を測定する。陽イオン除去部分2からの溶出液の電気伝導度は4 μS/cm以下となった。これは、陽イオン生成部分1で生成したホウ酸Na溶液中のNaイオンがほとんど完全に除去されたことを意味する。
【００５２】
さらに、得られたアニオンクロマトグラムを図１１に示す。
図11に示すアニオンクロマトグラムから分かるように、ベースラインは非常に安定していて、陰イオンの高感度検出が可能であることが確認できた。
使用したサンプルを次に示す。
1: water dip、2: F (0.5 mg/L)、3: Cl (1 mg/L)、4: NO2 (1.5 mg/L)、5: Br (1 mg/L)、6: NO3 (3 mg/L)、7: PO4 (3 mg/L)、8: SO4 (4 mg/L)、サンプル注入量(20 μL)。
【実施例３】
【００５３】
（１）カチオンクロ用一体型装置（図２）を使用してHClの生成量の確認
カチオンクロ用一体型装置（図2）を使用したHCl溶液生成システムのフローチャートを図１２に示す。
このシステムはカチオンクロ用一体型装置（図２）ほか４つのポンプ（Pump1: ペリスタリックポンプ、日理工業製の制御装置を使用、Pump2: LC-10AD、島津、Pump3: LC-10AD、島津Pump4: ペリスタリックポンプ、日理工業製の制御装置を使用）と、電気伝導度検出器(iSC8010の検出器のみを使用、日理工業)からなっている。
Pump1（0.5 mL/min）を使用し、10-100 mM NaCl溶液を陰イオン供給部分27に供給する。Pump2（1 mL/min）を使用し、純水を陰イオン生成部分25に供給する。
さらに、陰イオン除去部分、陰イオン排出部分についても水溶液を流しておく必要があるので、Pump3、Pump４を使って純水を1 mL/minで陰イオン除去用溶液入口、陰イオン排出用溶液入口にそれぞれ供給する。そして供給された溶液は陰イオン除去用溶液出口、陰イオン排出用溶液出口から排出される。
図２のカチオンクロ用一体型装置に、陰イオン供給部から10 mM NaCl 、20 mM NaCl、50 mM NaCl 、100 mM NaClの各濃度で供給し、印加する電流を２０ｍＡ，４０ｍＡ，６０ｍＡ，８０ｍＡ，１００ｍＡに変化したときに、生成するHCL溶液の電気伝導度の変化（Cl−濃度）を図１３に示す。
図１３に示す記号は以下に示す通りである。
◆：陰イオン供給部分27に10 mM NaClを供給、
■：陰イオン供給部分27に20 mM NaClを供給、
▲：陰イオン供給部分27に50 mM NaClを供給、
×：陰イオン供給部分27に100 mM NaClを供給、
【００５４】
（２）カチオンクロ用一体型装置の脱陰イオン機能を使用してHCl溶液の除去能力の確認。
カチオンクロ用一体型装置（図２）の陰イオン除去部分2６を使用した陰イオン除去システムのフローチャートを図1４に示す。
このシステムは、カチオンクロ用一体型装置（図２）のほか4つのポンプ（Pump1: ペリスタリックポンプ、日理工業製の制御装置を使用、Pump2: LC-10AD、島津、Pump3: ペリスタリックポンプ、日理工業製の制御装置を使用、Pump4: ペリスタリックポンプ、日理工業製の制御装置を使用）と、電気伝導度検出器(DX120の検出器のみ使用、Dionex)からなっている。
Pump1と3と4（1 mL/min）を使用し、純水を陰イオン供給部分２７ と陰イオン生成部分２５および陰イオン排出部分２０に供給する。Pump2（1 mL/min）を使用し、50 mM HCl溶液を陰イオン除去部分2６に供給する。陰イオン除去部分2６では、電場下において、陰イオン除去部分2６から陰イオン排出部分２０へ陰イオンの移動が起こっている。そのため、陰イオン除去部分2６に流れ込んだHCl溶液中に含まれる陰イオンは、陰イオン排出部分２０に移動し除去される。そのため、陰イオン除去部分2６からの溶出液は、脱陰イオン水となる。陰イオン除去部分2６からの溶出液は、検出用の電気伝導度検出器に流れ、溶出液の電気伝導度を測定する。この電気伝導度からCl−濃度を求め、電流を変化させて電流０の時のCl−濃度からの差を脱イオン能力として、各電流値に対する脱イオン濃度（Cl−濃度）を図１５に示す。
【００５５】
（３）カチオンクロ一体型装置（図２）をカチオンクロマトグラフィーにおける酸性溶離液生成および不純物陰イオン除去用として組み込んだイオンクロマグラフ装置。
上記（１）のカチオンクロ一体型装置（図２）で生成するHCl濃度が上記（２）のカチオンクロ一体型装置（図２）で除去できるCl−量より低くなることが必須である。このことは、溶離液のイオンの大半をカラム分離した後に脱イオン装置で除いてから残る検査対象イオンを電気伝導度で測定するイオンクロマトグラフィーの原理から明らかである。
従って、図１３に図１５を組み込んだ図１６を見れば、カチオンクロ用一体型装置（図２）のHCl溶液の生成量は、陰イオン供給部２７に供給するHCl溶液の濃度を低くすることで、陰イオン除去部分2６で除去できるClイオンの除去量よりも低くなることが分かる。
図１６に追加された記号は以下に示す。
〇：陰イオン除去部分2６のClイオンの除去濃度
すなわち、カチオンクロ用一体型装置（図２）は、陰イオン供給部分２７に供給するHCl溶液の濃度と印加する電流を調整することで、カチオンクロマトグラフ用装置として利用できるようになる。
【００５６】
（４）カチオンクロ用一体型装置をカチオンクロマトグラフ装置に組み込んで標準カチオンサンプルを用いてイオンクロマトグラムを得る。
カチオンクロ用一体型装置（図２）に印加する電流と、陰イオン供給部分27に供給するNaCl溶液の濃度を調整することにより、図2のカチオンクロ用一体型装置のHCl溶液の生成量は、陰イオン除去部分26の陰イオン除去量よりも少なくなり、そして、図2のカチオンクロ用一体型装置の陰イオン生成部分25で生成したHCl溶液中のClイオンは、陰イオン除去部分26で除去され、電気伝導度検出器で陽イオンを高感度に検出できることを確認した。測定に用いたカチオンクロマトグラフのフローチャーを図１７に示す。
図2のカチオンクロ用一体型装置の陰イオン供給部分には、20 mMNaCl溶液（0.5 mL/min）を供給している。約3300 μS/cm (約8.5 mM) HCl溶液を安定に生成するため、印加電流を100 mA (43.7 V)に設定した。
陰イオン生成部分25で生成した約3300 μS/cm HCl溶液は、溶離液として標準カチオンサンプルと共に分離カラムに注入し、その溶出液を陰イオン除去部分26に投入してClイオンは除去され、陰イオン除去部分26からの溶出液の電気伝導度は0.37 μS/cm以下となった。これは、陰イオン生成部分26で生成したHCl溶液中のClイオンがほとんど完全に除去されたことを意味する。
また、得られたカチオンクロマトグラムを図1８に示す。
図１８に示すカチオンクロマトグラムから分かるように、ベースラインは非常に安定していて、陽イオンの高感度検出が可能であることが確認できた。
使用したサンプルを次に示す。
1: Li (50 μg/L)、2: Na (200 μg/L)、3: NH3 (200 μg/L)、4: K (500 μg/L)、5: Mg (500 μg/L)、6: Ca (500 μg/L)、サンプル注入量(20 μL)。
［実験例］
【００５７】
電気再生式脱イオン装置を使用して各種のイオン交換膜等で形成したバイポーラ界面の高電流耐久性を示す比較実験を行った。
実験に用いた電気再生式脱イオン装置の概略図を図１９に示す。
使用した装置は、ポンプ1と3(peristaltic pump,1 mL/min で流量コントロール)、ポンプ2（1 mL/min, DP-8020, Tosoh, Tokyo, Japan）、イオン除去装置（200 mA, Nichiri, Chiba, Japan, 図２０〜２３に使用した装置を示す）から成る。
陽イオン交換体として陽イオン交換樹脂、陰イオン交換体として陰イオン交換樹脂、脱イオン室のバイポーラ界面として
図２０の装置では陰イオン交換樹脂と通水孔付フッ素系陽イオン交換膜（CMF），図２１の装置で通水孔付陰イオン交換膜（AHA）と陽イオン交換樹脂、
図２２の装置で通水孔付陽イオン交換膜（C66）と陰イオン交換樹脂、
図２３の装置で陰イオン交換樹脂と陽イオン交換樹脂
で構成された。
【００５８】
図２０〜２３の図中に用いた用語、記号は下記のとおりである。
陰イオン交換膜 (AHA, 株式会社アストム)、
通水孔付陽イオン交換膜(C66, 株式会社アストム)、
フッ素系陽イオン交換膜 (CMF, 旭硝子)、
通水孔付フッ素系陽イオン交換膜 (CMF, 旭硝子)、
DOH; OH−、 水の解離で生成したイオン、DH; H+、水の解離で生成したイオン、陰イオン交換樹脂（登録商標Amberlite, IRA402BL, 0.6−0.8 mm, L, 0.6 meq/mL, Organo, Tokyo,  Japan）、
陽イオン交換樹脂（登録商標Amberlite, IR120BL, 0.6−0.8 mm,  2.0 meq/mL以上, Organo, Tokyo,  Japan）。
【００５９】
図１９に示すように微量のイオンを含んだ純水溶液は、ポンプ 2によりイオン除去装置へ送られる。陽イオン交換樹脂が充填してある脱イオン室２では陽イオンが除去され、陰イオン交換樹脂が充填してある脱イオン室１では陰イオンが除去される。プロセス水として純水（電気伝導 1 μS/cm以下）がポンプ1と3によりイオン除去装置へ送られる。電極で発生する泡もプロセス水とともに系外へ排出される。
【００６０】
図２０に示す装置を使用し、印加電流200 mAにおいて、イオン除去装置の耐久試験を行った。図２０〜２３の装置は内径6 mmΦの円筒であり、印加電流密度は700 mA/cm2である。最大許容電流は1000 mA/cm2であるから70 %レベルの稼働で行った。図２０〜２３の装置に200 mAの電流を印加し、その時の測定した電圧の変化を図２４に示す。
【００６１】
図２４中の記号で
×は中央部のバイポーラ界面である陰イオン交換樹脂と通水孔付フッ素系陽イオン交換膜で形成した装置であり、
□は中央部のバイポーラ界面である陰イオン交換樹脂と通水孔付陽イオン交換膜（C66）（１３）で、
〇は中央部のバイポーラ界面である陽イオン交換樹脂と通水孔付陰イオン交換膜（AHA）（１２）で、
△は中央部のバイポーラ界面である陰イオン交換樹脂と陽イオン交換樹脂で形成した装置である。
【００６２】
図２４から分かるように、中央部のバイポーラ界面である陰イオン交換樹脂と通水孔付フッ素系陽イオン交換膜で形成した装置の電圧の変化は一定で、装置は壊れていないことが分かる。しかし、その他の３つの装置では、中央部のバイポーラ界面が陰イオン交換樹脂と通水孔付陽イオン交換膜（C66），通水孔付陰イオン交換膜（AHA）と陽イオン交換樹脂、陰イオン交換樹脂と陽イオン交換樹脂で構成され、いずれも電圧が上昇し装置が壊れることが分かる。また、前記界面部分の故障を試験終了後分解して目視で確認している。通水孔付陽イオン交換膜（C66）は黒変しており、通水孔付陰イオン交換膜（AHA）は膜表面に陽イオン交換樹脂がびっしり付着していた。陰イオン交換樹脂と陽イオン交換樹脂とはびっしりとくっ付いていた。いずれも組織が壊れ、イオン交換機能が損なわれているものと推察される。
この結果は、中央部のバイポーラ界面が陰イオン交換樹脂と通水孔付フッ素系陽イオン交換膜で形成したものの優位性が明らかになった。また、上記の実験では通水孔付のタイプで確認したものだが上記の結果は材質の耐久性が比較されたものであるから通水孔のないものでもまったく同様の耐久性が示されるものとみなされる。
【産業上の利用可能性】
【００６３】
本発明の電気再生式イオン生成除去一体型装置は、単独機能を使用する場合に高純度の酸や塩基性溶液を化学分析や化学合成、化学処理現場で必要とされる量を雰囲気汚染されることなく手軽な生成装置として用いられる。また、同じく現場で、純水の事前処理や事後処理ほか広範囲に脱イオン処理用に用いられる。
さらに、両機能を併用使用する場合として簡便なイオンクロマトグラフ装置として化学分析現場に携帯して持ち込み、手軽な分析装置として使用することができる。
【符号の説明】
【００６４】
1．陽イオン生成部分
2．陽イオン除去部分
3．陽イオン供給部分
4．陽イオン排出部分
5．陰極部分
6．陽極部分
7．通水孔付フッ素系陽イオン交換膜
8．陽イオン交換膜積層体
9．バイポール界面（フッ素系陽イオン交換膜と陰イオン交換樹脂から成る界面、水の解離部分）
10．バイポール界面（陽イオン交換膜と陰イオン交換樹脂から成る界面、イオン濃縮部分）
【００６５】
11．陽イオン交換膜
12．陽極
13．陰極
14．陰イオン交換体、陰イオン交換樹脂
15．陽イオン交換体、陽イオン交換樹脂
16．陰イオン交換膜積層体
17．陰イオン交換膜
18．バイポール界面（陰イオン交換樹脂とフッ素系陽イオン交換膜から成る界面、水の解離部分）
19．バイポール界面（陽イオン交換樹脂と陰イオン交換膜から成る界面、イオン濃縮部分）
20．陰イオン排出部分
【００６６】
21．陰イオン排出用溶液入口
22．陽イオン排出用溶液入口
23．陰イオン排出用溶液出口
24．陽イオン排出用溶液出口
25．陰イオン生成部分
26．陰イオン除去部分
27．陰イオン供給部分
28．陽イオン生成用溶液入口又は出口
29．陽イオン生成用溶液出口又は入口
30．陽イオン除去用溶液入口
【００６７】
31．陽イオン除去用溶液出口
32．陽イオン供給用溶液入口
33．陽イオン供給用溶液出口
34．陰イオン生成用溶液入口又は出口
35．陰イオン生成用溶液出口又は入口
36．陰イオン除去用溶液入口
37．陰イオン除去用溶液出口
38．陰イオン供給用溶液入口
39．陰イオン供給用溶液出口
【００６８】
Ｍ１．通水孔付フッ素系陽イオン交換膜
Ｍ２．陽イオン交換膜、または陰イオン交換膜
Ｍ３．フッ素系陽イオン交換膜
Ｍ４．陽イオン交換膜、または陰イオン交換膜
Ｍ５．通水孔付フッ素系陽イオン交換膜
ＭＭ．スペーサー用イオン交換膜
Ａ１．陰イオン交換体、陰イオン交換樹脂
Ａ２．陰イオン交換体、陰イオン交換樹脂
Ａ３．陰イオン交換体、陰イオン交換樹脂
Ａ４．陰イオン交換体、陰イオン交換樹脂
Ｃ１．陽イオン交換体、陽イオン交換樹脂
Ｃ２．陽イオン交換体、陽イオン交換樹脂
Ｃ３．陽イオン交換体、陽イオン交換樹脂
Ｃ４．陽イオン交換体、陽イオン交換樹脂
【図１】
2018173393.tif 000003
【図２】
2018173393.tif 000004
【図３】
2018173393.tif 000005
【図４】
2018173393.tif 000006
【図５】
2018173393.tif 000007
【図６】
2018173393.tif 000008
【図７】
2018173393.tif 000009
【図８】
2018173393.tif 000010
【図９】
2018173393.tif 000011
【図１０】
2018173393.tif 000012
【図１１】
2018173393.tif 000013
【図１２】
2018173393.tif 000014
【図１３】
2018173393.tif 000015
【図１４】
2018173393.tif 000016
【図１５】
2018173393.tif 000017
【図１６】
2018173393.tif 000018
【図１７】
2018173393.tif 000019
【図１８】
2018173393.tif 000020
【図１９】
2018173393.tif 000021
【図２０】
2018173393.tif 000022
【図２１】
2018173393.tif 000023
【図２２】
2018173393.tif 000024
【図２３】
2018173393.tif 000025
【図２４】
2018173393.tif 000026